(57)【要約】【課題】縦枠に網戸縦レールを面内方向、上下方向に位置決めして取付けできるようにした上げ下げ窓とする。【解決手段】上げ下げ窓の左右の縦枠に取付ける網戸縦レールを、取付部と、この取付部の面内方向内側部に見込み方向に向けた位置決め部と、前記取付部に設けられ、前記位置決め部よりも面内方向内側に向けて突出したガイド部を備えたものとし、前記位置決め部を縦枠、下枠の面内方向内側面に接して面内方向、上下方向に位置決めした状態で取付部を縦枠の見込み方向一側面に取付けることで、網戸縦レールを面内方向、上下方向に位置決めして取付けできるようにする。【選択図】図２
2010216149.tif 000002
【特許請求の範囲】
【請求項１】
窓枠の左右縦枠に網戸縦レールをそれぞれ取付け、この左右の網戸縦レールに沿って網戸を上下移動自在に取付けた上げ下げ窓であって、
前記網戸縦レールは、取付部と、この取付部の面内方向内側部に見込み方向に向けて設けた位置決め部と、前記取付部に設けられ、前記位置決め部よりも面内方向内側に向けて突出したガイド部を備え、
前記網戸縦レールの位置決め部が、縦枠の面内方向内側面に接し、かつ下枠の面内方向内側面に接し、取付部が縦枠の見込み方向一側面に固着して取付け、
前記左右の網戸縦レールのガイド部に沿って網戸を上下移動自在に取付けたことを特徴とする上げ下げ窓。
【請求項２】
前記網戸縦レールの取付部の面内方向内側部に、板状のガイド部を面内方向内側に向けて連結し、
このガイド部における前記連結部分の肉厚を隣接する他の部分の肉厚よりも薄くし、
前記網戸縦レールの取付部に、その取付部を縦枠に取付ける固着具を覆うカバー体を、見込み方向一側に向かう外力によって取り外しできるように係合して取付け、
このカバー体の面内方向一側部が、前記取付部の面内方向内側部における見込み方向一側面に接している請求項１記載の上げ下げ窓。
【請求項３】
前記取付部に第１係合受片と第２係合受片を面内方向に離隔して設け、
前記カバー体に設けた第１係合部、第２係合部を、前記第１係合受片、第２係合受片にそれぞれ係合してカバー体を取付部に取付け、
前記第１係合受片、第２係合受片の一部分を突き出し加工して第１受部、第２受部とし、
前記第１係合部、第２係合部の一部分を切欠きし、その切欠部の下向面を、前記第１受部、第２受部にそれぞれ接してカバー体を支持した請求項１又は２記載の上げ下げ窓。
【発明の詳細な説明】
【技術分野】
【０００１】
本発明は、網戸を備えた上げ下げ窓に関する。
【背景技術】
【０００２】
従来、上げ下げ窓としては、例えば、特許文献１に開示したように、窓枠の室外側寄りに外障子を設けると共に、その窓枠の室内側寄りに内障子を設け、前記窓枠の室外側部に網戸を上下移動自在に取付けた網戸を備えた上げ下げ窓が提案されている。
また、特許文献２には、網戸を窓枠に上下移動自在に取付けるために、窓枠の室内側面に網戸縦レール（縦網戸枠）を取付け、この網戸縦レールに沿って網戸を上下移動自在に取付けた窓が開示されている。
【先行技術文献】
【特許文献】
【０００３】
【特許文献１】実公平４−２１４３６号公報
【特許文献２】実開平１−１００９００号公報
【発明の概要】
【発明が解決しようとする課題】
【０００４】
前述した従来の網戸を備えた上げ下げ窓は、窓枠の左右縦枠が網戸縦レールを有する形状であるから、網戸を備えていない通常の上げ下げ窓に網戸を上下移動自在に取付けるためには、その窓枠の左右縦枠を網戸縦レールを有する縦枠と交換しなければならない。
そこで、前述した従来の窓のように、窓枠に網戸縦レールを取付けることで、通常の上げ下げ窓に網戸を上下移動自在に取付けることができる。
しかし、前述した従来の窓においては、窓枠に網戸縦レールをただ単に取付けているだけであるので、網戸縦レールが正しい取付け位置から上下方向、面内方向にずれてしまうことがあり、網戸を正しく上下移動自在に取付けできないことがある。
【０００５】
本発明の目的は、窓枠に網戸縦レールを上下方向、面内方向に位置決めして正しい取付け位置に取付けできるようにした上げ下げ窓とすることである。
【課題を解決するための手段】
【０００６】
本発明は、窓枠の左右縦枠に網戸縦レールをそれぞれ取付け、この左右の網戸縦レールに沿って網戸を上下移動自在に取付けた上げ下げ窓であって、前記網戸縦レールは、取付部と、この取付部の面内方向内側部に見込み方向に向けて設けた位置決め部と、前記取付部に設けられ、前記位置決め部よりも面内方向内側に向けて突出したガイド部を備え、前記網戸縦レールの位置決め部が、縦枠の面内方向内側面に接し、かつ下枠の面内方向内側面に接し、取付部が縦枠の見込み方向一側面に固着して取付け、前記左右の網戸縦レールのガイド部に沿って網戸を上下移動自在に取付けたことを特徴とする上げ下げ窓である。
【０００７】
本発明においては、前記網戸縦レールの取付部の面内方向内側部に、板状のガイド部を面内方向内側に向けて連結し、このガイド部における前記連結部分の肉厚を隣接する他の部分の肉厚よりも薄くし、前記網戸縦レールの取付部に、その取付部を縦枠に取付ける固着具を覆うカバー体を、見込み方向一側に向かう外力によって取り外しできるように係合して取付け、このカバー体の面内方向一側部が、前記取付部の面内方向内側部における見込み方向一側面に接するようにできる。
このようにすれば、ガイド部に見込み方向一側に向かう外力が作用したときに、そのガイド部は連結部分において取付部に対して折れ曲がり変形するので、取付部の面内方向内側部が見込み方向一側に向けて変形することがなく、カバー体に見込み方向一側に向かう外力が作用しない。
したがって、ガイド部に見込み方向一側に向かう外力が作用してもカバー体が取付け部から外れることがない。
【０００８】
本発明においては、前記取付部に第１係合受片と第２係合受片を面内方向に離隔して設け、前記カバー体に設けた第１係合部、第２係合部を、前記第１係合受片、第２係合受片にそれぞれ係合してカバー体を取付部に取付け、前記第１係合受片、第２係合受片の一部分を突き出し加工して第１受部、第２受部とし、前記第１係合部、第２係合部の一部分を切欠きし、その切欠部の下向面を、前記第１受部、第２受部にそれぞれ接してカバー体を支持することができる。
このようにすれば、カバー体が網戸縦レールの取付部から下方に脱落することを防止できる。
【発明の効果】
【０００９】
本発明によれば、網戸縦レールを縦枠に、上下方向及び面内方向に位置決めして正しい取付け位置に取付けできる。
しかも、位置決め部を縦枠、下枠の面内方向内側面に接するだけで網戸縦レールを上下方向及び面内方向に位置決めしているので、その網戸縦レールの位置決め作業が簡単である。
また、ガイド部は位置決め部よりも面内方向内側に向けて突出しているから、そのガイド部に沿って上下移動自在に取付けた網戸が位置決め部と干渉することがなく、その網戸をガイド部に沿ってスムーズに上下移動できる。
【図面の簡単な説明】
【００１０】
【図１】本発明の実施の形態を示す網戸を備えた上げ下げ窓の外観図である。
【図２】図１のＡ−Ａ断面図である。
【図３】図１のＢ−Ｂ断面図である。
【図４】網戸縦レール取付部分の拡大図である。
【図５】網戸縦レールとカバー体の分解斜視図である。
【図６】カバー体を取付けた状態の縦断面図である。
【発明を実施するための形態】
【００１１】
図１に示すように、窓枠１の室外側寄りに外障子２を設けると共に、その窓枠１の室内側寄りに内障子３を設けて上げ下げ窓としてある。
前記窓枠１は上枠１０と下枠１１と左右の縦枠１２を矩形状に連結してある。
前記外障子２は、上框２０と下框２１と左右の縦框２２を矩形状に連結し、その内部に面材２３が装着してある。
前記内障子３は、上框３０と下框３１と左右の縦框３２を矩形状に連結し、その内部に面材３３が装着してある。
前記左右の縦枠１２に網戸縦レール４をそれぞれ取付け、この左右の網戸縦レール４に沿って網戸５を上下移動自在に取付けて上げ下げ網戸とし、網戸付き上げ下げ窓としてある。
前記網戸５は、網戸上框５０と網戸下框５１と左右の網戸縦框５２を矩形状に連結し、その内部に防虫網５３が張設してある。
【００１２】
前記網戸縦レール４は図２に示すように、取付部４ａと、この取付部４ａの面内方向内側部に見込み方向に向けて設けた位置決め部４ｂと、前記取付部４ａに設けられ、前記位置決め部４ｂよりも面内方向内側に向けて突出したガイド部４ｃを備えている。
前述の面内方向とは室内外側方向と直角な方向で、見付け方向と同じである。
前述の見込み方向とは室内外側方向で、面外方向と同じである。
【００１３】
前記網戸縦レール４は、図２に示すように、その位置決め部４ｂの面内方向外側面４ｂ−１を、縦枠１２の面内方向内側面１２ａに接して面内方向の位置決めをする。
前記網戸縦レール４は、図３に示すように、その位置決め部４ｂの下端面４ｂ−２を、下枠１１の面内方向内側面（上面）１１ａに接して上下方向の位置決めをする。
そして、取付部４ａを縦枠１２の見込み方向一側面１２ｂ、例えば、室外側面に固着具６で固着し、網戸縦レール４を縦枠１２に取付けている。
前記網戸５は、左右の網戸縦框５２を左右の網戸レール４のガイド部４ｃに沿って上下移動自在に取付けてある。
【００１４】
このようであるから、網戸縦レール４を縦枠１２に、上下方向及び面内方向に位置決めして正しい取付け位置に取付けできる。
しかも、位置決め部４ｂを縦枠１２、下枠１１の面内方向内側面１２ａ，１１ａに接するだけで良いから、その位置決め作業が簡単である。
また、ガイド部４ｃは位置決め部４ｂよりも面内方向内側に向けて突出しているので、そのガイド部４ｃに沿って上下移動自在に取付けた網戸５が位置決め部４ｂに干渉することがなく、網戸５をガイド部４ｃに沿ってスムーズに上下移動できる。
【００１５】
前記網戸縦レール４は、その位置決め部４ｂの下端面寄り部分と上端面寄り部分を切断等して除去し、その位置決め部４ｂの下端面４ｂ−２を下枠１１の面内方向内側面１１ａに接し、かつ取付部４ａの下端面寄り部分が下枠１１の室外側面１１ｂに接すると共に、上端面４ｂ−３を上枠１０の面内方向内側面１０ａに接し、かつ取付部４ａの上端面寄り部分が上枠１０の室外側面１０ｂに接するようにしてある。
【００１６】
前記取付部４ａにはカバー体７が係合して取付けてあり、このカバー体７で取付部４ａの長手方向全長を覆って、その取付部４ａが見えないようにしてある。
これによって、前述の固着具６が見えることなく、網戸縦レール４の縦枠１２への取付け部分の見栄えが良い。
前記取付部４ａの上端部とカバー体７の上端部とに亘って上キャップ８が取付けてあると共に、前記取付部４ａの下端部とカバー体７の下端部とに亘って下キャップ９が取付けてある。
【００１７】
図２、図３に示す上枠１０、下枠１１、左右の縦枠１２は樹脂製、例えば樹脂押出形材で、各枠材を略同一断面形状とし、隣接した枠材の端面を４５度として突き合わせて溶着して連結してある。
前記網戸縦レール４は金属製、例えばアルミ押出形材である。
前記網戸縦レール４の取付部４ａを縦枠１２に固着する固着具６をビスとし、縦枠１２の中空部１２ｃ内にターンナット６ａを設け、このターンナット６ａにビスを螺合して取付部４ａに固着している。
前述のターンナット６ａを用いずに金属製のナット部材を中空部１２ｃに設け、そのナット部材にビスを螺合して取付部４ａに固着するようにしても良い。
なお、網戸縦レール４を樹脂製としても良いし、上枠１０、下枠１１、縦枠１２を金属製、又は金属製と樹脂製の複合材、断熱形材などとすることもできる。
【００１８】
前記網戸縦レール４の詳細を説明する。
図４に示すように、前記網戸縦レール４の取付部４ａは面内方向に向かう板状で、その見込み方向一側（室外側）に向かう表面４０に係合受部を有する。例えば、面内方向内側寄りに第１係合受片４１、面内方向外側寄りに第２係合受片４２を有し、この第１・第２係合受片４１，４２は見込み方向一側に向けて突出している。
前記取付部４ａの見込み方向他側（室内側）に向かう裏面４３を縦枠１２の見込み方向一側面１２ｂ（室外側面）に接し、見込み方向一側から固着具６で固着して取付けられる。
【００１９】
前記位置決め部４ｂは、前記取付部４ａの面内方向内側部４４に見込み方向他側方（室内側）に向けて一体に設けた基板４５と、この基板４５の見込み方向他側部に面内方向内側に向けて一体に設けた横片４６で鉤形状で、その基板４５が縦枠１２の面内方向内側面１２ａに接する。
【００２０】
前記ガイド部４ｃは、前記取付部４ａの面内方向内側部４４に、面内方向内側に向けて一体に設けた板状で、このガイド部４ｃの面内方向外側部分４７、つまり取付部４ａの面内方向内側部４４に連結された連結部分４７の肉厚ｔ１が、隣接する他の部分としての面内方向内側部４４の肉厚ｔ２よりも薄く、ガイド部４ｃに見込み方向の外力が作用すると、ガイド部４ｃは、その連結部分４７において取付部４ａに対して見込み方向に折れ曲がり変形するようにしてある。
【００２１】
前記カバー体７は、見込み方向に向かう第１板５０、第２板５１と、この第１・第２板５０，５１を連結する連結板５２で、見込み方向他側方（室内側方）に開口したほぼコ字形状の断面の長尺材で、その第１板５０が面内方向一側部で、第２板５１が面内方向他側部となるように取付部４ａに取付けられる。
前記第１板５０は、前記第１係合片４１に係合する第１係合部５３を有し、前記第２板５１は、前記第２係合受片４２に係合する第２係合部５４を有し、カバー体７は取付部４ａに係合して取付けられる。
例えば、カバー体７を見込み方向に斜めの姿勢として、第２係合部５４を第２係合受片４２に係合し、カバー体７を第２係合受片４２を回動中心として見込み方向他側に向けて回動して第１係合部５３を第１係合片４１に係合して取付ける。
要するに、カバー体７は前記係合受部に係合する係合部を有し、このカバー体７は、取付部４ａに、その取付部４ａを縦枠１２に取付ける固着具６を覆うと共に、見込み方向一側に向かう外力で取り外しできるように係合して取付けてある。
【００２２】
そして、カバー体７を取付部４ａに取付けすると、前記第１板５０の端面５０ａ、つまりカバー体７の面内方向一側部が前記取付部４ａの面内方向内側部４４の見込み方向一側面４４ａ、つまり表面４０におけるガイド部連結部寄り４０ａに接し、第２板５１の端面５１ａ、つまりカバー体７の面内方向外側部が、前記取付部４ａの表面４０における面内方向外側寄り４０ｂに接するようにしてある。
【００２３】
このようであるから、ガイド部４ｃに矢印ａで示すように見込み方向一側に向かう外力が作用したときに、ガイド部４ｃとともに取付部４ａの面内方向内側部４４が見込み方向一側に向けて変形すると、カバー体７の第１板５０が見込み方向一側に向けて押され、その第１係合部５３が第１係合受片４１から離脱してカバー体７が外れることがあるが、前述のようにガイド部４ｃは、その連結部分４７において取付部４ａに対して見込み方向一側に向けて折れ曲がり変形するので、前述したように取付部４ａの面内方向内側部４４が見込み方向一側に向けて変形しないから、カバー体７に見込み方向一側に向かう外力が作用しない。
したがって、ガイド部４ｃに見込み方向一側に向かう外力が作用してもカバー体７が取付部４ａから外れることがない。
【００２４】
図５に示すように、前記網戸縦レール４の取付部４ａにおける第１・第２係合受片４１，４２の長手方向一部分４１ａ，４２ａを突き出し加工して第１・第２受部６０，６１とする。
具体的には、第１係合受片４１の長手方向一部分４１ａを面内方向内側に向けて突き出し加工し、第１係合受片４１の面内方向内側面４１ｂよりも突出した第１受部６０とする。
前記第２係合受片４２の長手方向一部分４２ａを面内方向外側に向けて突き出し加工し、第２係合受片４２の面内方向外側面４２ｂよりも突出した第２受部６１とする。
前記カバー体７の第１係合部５３、第２係合部５４の長手方向一部分を、前記第１・第２受部６０，６１が入り込む長さにそれぞれ切欠きし、図６に示すように、その切欠部６２，６３内に前記第１・第２受部６０，６１が位置するようにする。具体的には、切欠部６２，６３の下向面６２ａ，６３ａと前記第１・第２受部６０，６１が離間するように、第１・第２受部６０，６１を切欠部６２，６３内に位置させる。そして、何らの理由によりカバー体７が網戸縦レール４（取付部４ａ）に対して下方に移動すると、切欠部６２，６３の下向面６２ａ，６３ａが第１・第２受部６０，６１にそれぞれ接し、カバー体７が網戸縦レール４（取付部４ａ）に対して下方に移動しないようにする。
【００２５】
このようにすれば、カバー体４が網戸縦レール４の取付部４ａから下方に脱落することを防止できる。
この実施の形態においては、第２係合受片４２の先端部分４２ｃが図４に示すように、面内方向外側に向けて折曲し、その先端部分４２ｃがカバー体７の第２板５１の内面に接するようにしてあるので、図５に仮想線で示すように、突き出し加工した部分の先端部分４２ｃを切断などで除去してある。
【００２６】
以上の実施の形態では、窓枠１の縦枠１２における見込み方向一側面１２ｂ（室外側面）に網戸縦レール４を取付け、窓枠１の見込み方向一側（室外側）に網戸５を上下移動自在に取付けしたが、縦枠１２の見込み方向他側面（室内側面）に網戸縦レール４を取付け、窓枠１の見込み方向他側（室内側）に網戸５を上下移動自在に取付けしても良い。
【符号の説明】
【００２７】
１…窓枠、２…外障子、３…内障子、４…網戸縦レール、４ａ…取付部、４ｂ…位置決め部、４ｃ…ガイド部、５…網戸、６…固着具、７…カバー体、４１…第１係合受片、４２…第２係合受片、４４…取付部の面内方向内側部、４７…連結部分、５３…第１係合部、５４…第２係合部、６０…第１受け部、６１…第２受け部、６２…第１切欠部、６２ａ…下向面、６３…第２切欠部、６３ａ…下向面。
【図１】
2010216149.tif 000003
【図２】
2010216149.tif 000004
【図３】
2010216149.tif 000005
【図４】
2010216149.tif 000006
【図５】
2010216149.tif 000007
【図６】
2010216149.tif 000008